(57)【特許請求の範囲】
【請求項１】
電子マネー情報を格納したＩＣカードと、該ＩＣカードで該電子マネー情報の読取りまたは書込みをする端末部と、該端末部を外部の通信回線に接続する外部接続端子と、該端末部からのデータを処理する外部情報処理装置とを備えた情報課金システムにおいて、
該端末部は、
該通信回線に一方の端子が接続されたデータ変復調手段と、
該ＩＣカードで読取りまたは書込みする電子マネー情報を処理するデータ処理手段と、
該データ変復調手段の他方の端子を該データ処理手段と該外部情報処理手段との一方に選択的に接続する切替手段と、
該切替手段を制御する制御手段と
からなり、
該制御手段は、該外部情報処理装置から電子マネー情報の取り引きの指示があったときには、該切替手段を制御して該データ処理手段を選択して、該データ処理手段を該データ変復調手段を介して該通信回線に接続し、該データ処理手段，切替手段及び該データ変復調手段を介して該電子マネー情報の該ＩＣカードでの書込み，読出しを行なわせることを特徴とする情報課金システム。
【請求項２】
請求項１において、
少なくとも前記制御手段への電子マネー情報の取り引きの開始指示は前記外部情報処理装置から発せられることを特徴とする情報課金システム。
【請求項３】
請求項１において、
前記端末部に前記制御装置への入力手段を設け、
少なくとも前記制御手段への電子マネー情報の取り引きの開始の指示を該入力手段が発することを特徴とする情報課金システム。
【請求項４】
請求項２または３において、
前記端末部に畜電気手段を備えた電源回路を設けたことを特徴とする情報課金システム。
【請求項５】
請求項４において、
前記通信回線から前記畜電気手段に充電することを特徴とする情報課金システム。
【請求項６】
請求項４において、
外部電源から電力の供給を受けるための電源供給手段を設け、
該電源供給手段を介して前記畜電気手段に充電することを特徴とする情報課金システム。
【請求項７】
請求項４において、
外部電源から電力の供給を受けるための電源供給手段と、
該電源供給手段と前記電源回路とを切り替え選択する選択手段と
を設け、該選択手段により、通常では、該電源供給手段の出力電圧を前記端末部の電源電圧とし、該電源供給手段の出力電圧が規定値よりも低下したとき、前記電源回路の出力電圧を前記端末部の電源電圧とすることを可能に構成したことを特徴とする情報課金システム。
【請求項８】
請求項１において、
前記外部情報処理装置に光指示信号を発生する発光手段を設けるとともに、前記端末部に該光指示信号を受光する受光手段を設け、
前記外部情報処理装置から該光指示信号を受けることにより、少なくとも前記制御手段への電子マネー情報の取り引きの開始の指示を前記外部情報処理装置が発することを特徴とする情報課金システム。
【請求項９】
請求項８において、
前記端末部に前記制御装置への入力手段を設けるとともに、前記受光手段に少なくとも電子マネー情報の取り引き開始の要求手段を設け、
前記制御手段への電子マネー情報の取り引きの開始の指示を該入力手段が発することにより、前記要求手段に従った電子マネー情報の取り引きを行なうことを特徴とする情報課金システム。
【請求項１０】
請求項１〜９のいずれか１つにおいて、
前記外部情報処理装置として画像情報の表示を行なう表示装置を用いたことを特徴とする情報課金システム。
【請求項１１】
電子マネー情報を格納したＩＣカードと、該ＩＣカードで該電子マネー情報の読取りまたは書込みをする端末部と、該端末部からのデータを処理する外部情報処理装置とを備えた情報課金システムにおいて、
該端末部は、
該ＩＣカードで読取りまたは書込みする電子マネー情報を処理するデータ処    理手段と、
該データ処理手段に接続される情報処理手段と、
該情報処理手段と該外部情報処理装置とのいずれか一方を切り替え選択する    切替手段と、
一方の端子が通信回線に接続されて他方の端子が該切替手段に接続され、該    切替手段により、該情報処理手段と該外部情報処理装置とのいずれか一方に    接続されるデータ変復調手段と
を有し、
該情報処理手段は、該外部情報処理装置から電子マネー情報の取り引きの指示があったときには、該切替手段の切替制御も行なって該切替手段に該情報処理手段を選択させ、該データ処理手段，該情報処理手段，切替手段及びデータ変復調手段を介して該電子マネー情報の該ＩＣカードでの書込み，読出しを行なわせることを特徴とする情報課金システム。
【請求項１２】
請求項１１において、
前記データ処理手段に制御手段が接続され、
該制御手段が前記データ処理手段及び前記情報処理手段を介して前記切替手段を制御可能としたことを特徴とする情報課金システム。
【請求項１３】
請求項１２において、
前記端末部は、別々の筐体に収納された第１，第２の端末部からなり、
前記データ処理手段が該第１の端末部に、前記情報処理手段が該第２の端末部に夫々設けられ、
かつ該第１，第２の端末部に伝送手段が設けられて、該伝送手段により、前記データ処理手段と前記情報処理手段との間で前記情報信号を伝送させることを特徴とする情報課金システム。
【請求項１４】
請求項１３において、
前記データ処理手段と前記情報処理手段との間で伝送される前記情報信号は、少なくとも一度は前記切替手段を切替制御する制御信号であることを特徴とする情報課金システム。
【請求項１５】
請求項１３または１４において、
前記データ処理手段と前記情報処理手段との間で伝送される前記情報信号は、少なくとも前記データ変復調手段を制御する制御信号があることを特徴とする情報課金システム。
【請求項１６】
請求項１３，１４または１５において、
前記データ処理手段と前記情報処理手段との間で伝送される前記情報信号は、少なくとも前記データ変復調手段の処理結果を前記制御装置に通知する信号があることを特徴とする情報課金システム。
【請求項１７】
請求項１３，１４，１５または１６において、
前記データ処理手段と前記情報処理手段との間で伝送される前記情報信号は、少なくとも前記ＩＣカードから読み取られた前記電子マネー情報があることを特徴とする情報課金システム。
【発明の詳細な説明】
【０００１】
【発明の属する技術分野】
本発明は、貨幣に代えてＩＣカードに貯えられた電子マネー情報をやり取りする電子財布システムに用いた電子マネー取り引きシステムに係り、特に、情報処理装置により指示された電子マネー情報の受け渡しに好適な情報課金システムに関する。
【０００２】
【従来の技術】
従来のかかる電子財布システムで電子マネー情報のやり取りを行なう情報課金システムでは、例えば、特開平３−９２９６６号公報に記載のように、ＩＣカードをＰＯＳ端末などの専用装置に装着することによって行なわれる。これは、主に、信頼性の点で優れたかかる専用装置を用いることにより、電子マネー情報の取り引きの信頼性を確保するためである。
【０００３】
【発明が解決しようとする課題】
しかしながら、このように、電子マネー情報のやり取りを行なうのにかかる専用装置を用いなければならないと、ＩＣカードを所持する個人が何らかのサービスを受けたい場合には、その個人は、必ずかかる専用装置が設置されている場所（例えば、店頭）を訪れて、その専用装置にＩＣカードを装着して直接操作することが必要である。このため、従来の電子財布システムでは、電子マネー情報のやり取りの利便性を有効に発揮するものではなかった。
【０００４】
本発明の目的は、かかる問題を解消し、電子マネー情報の取り引きの信頼性を確保しつつ、個人所有の端末を用いて電子マネー情報のやり取りを容易に行なうことができるようにした情報課金システムを提供することにある。
【０００５】
【課題を解決するための手段】
上記目的を達成するために、本発明は、利用者が所持する端末（以下、個人端末という）に公衆回線を経由したデータ通信手段を設け、該データ通信手段を介して電子マネー情報の移動を行なうことができるようにすることにより、サービスを供給する装置に直接ＩＣカードを差し込む必要がなくなるようにする。
【０００６】
また、本発明は、電子マネー情報の移動に必要な部材が独立して動作可能とすることにより、何らかの機器故障が発生しても、開始された電子マネー情報の移動処理を完遂することができるようにする。
【０００７】
【発明の実施の形態】
以下、本発明の実施形態を図面を用いて説明する。
図１は本発明による情報課金システムの第１の実施形態における個人端末を示すブロック図であって、１はＩＣカード、２は端末部、３は切替器、４はモデム装置、５はデータ処理装置、６は制御装置、７は通信回線、８は外部情報処理装置である。
【０００８】
同図において、この個人端末は、ＩＣカード１が着脱可能であって、公衆回線などの通信回線７に接続された端末部２と、この端末部２に接続された外部情報処理装置８とから構成されており、ＩＣカード１は内部に電子マネー情報が書き込まれており、端末部２に装着することにより、電子マネー情報の書込みや読出しを行なうことができる。
【０００９】
端末部２は切替器３とモデム装置４とデータ処理装置５と制御装置６とによって構成されており、モデム装置４は、電子情報を通信回線７を経由して送受可能とし、切替器３は制御装置６からの切替信号Ｓ２によって切替え制御される。
【００１０】
切替器３がデータ処理装置５側に閉じているときには、ＩＣカード１と後述するホスト装置との間で電子マネー情報のやり取りを行ない、このＩＣカード１での電子マネー情報の書込みや読出しが行なわれる。書込みの場合には、通信回線７を介して電子マネー情報と制御信号とが入力され、これらがモデム装置４で復調された後、切替器３を介してデータ処理装置５に供給されて所定の処理がなされる。処理された電子マネー情報と制御信号とはＩＣカード１に供給される。ＩＣカード１では、この制御信号で制御されて電子マネー情報がＩＣメモリに書き込まれる。読出しの場合には、通信回線７から同様の経路を経てＩＣカード１に制御信号が供給され、ＩＣカード１では、この制御信号で制御されてＩＣメモリから所定の電子マネー情報が読み出される。この電子マネー情報はデータ処理装置５で処理されて切替器３を通り、モデム装置４で変調された後、通信回線７を介して伝送される。
【００１１】
切替器３が外部情報処理装置８側に閉じているときには、キーボードなどの入力装置や表示装置などからなる外部情報処理装置８が切替器３を介してモデム装置４と接続される。これにより、外部情報処理装置８は、通信回線７を介して図示しないホスト装置とデータや制御信号のやり取りを行なう。
【００１２】
制御装置６は、外部情報処理装置８との間で制御信号Ｓ４のやり取りを行ない、制御装置６はこの制御信号Ｓ４に応じてモデム装置４や切替器３，データ処理装置５を制御する。これにより、ホスト装置と外部情報処理装置８との間での通信を可能としたり、ＩＣカード１とホスト装置との間で電子マネー情報のやり取りを可能にする。
【００１３】
図２は図１に示した端末部を用いた本発明による情報課金システムの第１の実施形態のシステム構成を示すブロック図であって、９は個人端末、１０はホスト装置であり、図１に対応する部分には同一符号をつけている。
【００１４】
同図において、ＩＣカード１が着脱可能な端末部２と外部情報処理装置８とからなる個人端末９が複数通信回線７を介して互いに接続されており、同様の構成をなすホスト装置１０もこの通信回線７に接続されている。これにより、ホスト装置１０と各個人端末９との間で、各種データや制御信号，電子マネー情報のやり取りを行なうことができる。
【００１５】
次に、この第１の実施形態の動作について説明する。
図３は図１における外部情報処理装置８の内部処理動作を示すフローチャートである。
【００１６】
同図において、初期状態として、切替器３は外部情報処理装置８側に閉じており、モデム装置４は通信回線７を切断した状態にある。かかる初期状態において、外部情報処理装置８で、例えば、ダイヤル操作などによってホスト装置１０を読み出すと、まず、外部情報処理装置８から制御装置６に制御信号Ｓ４が供給され、これに応じて制御装置６は制御信号Ｓ１を発生し、モデム装置４を制御して通信回線７を接続する。この制御信号Ｓ４に続いて外部情報処理装置８から切替器３を介してモデム装置４に呼出し信号が供給され、さらに、通信回線７を介してホスト装置１０に送られる。そして、ホスト装置１０からこれに対する応答があると、外部情報処理装置８とホスト装置１０との間で通信が可能となる（ステップ３０１）。
【００１７】
しかる後、外部情報処理装置８において、入力装置によって購入希望する製品の製品番号を入力すると、この製品番号の情報信号が切替器３，モデム装置４及び通信回線７を介してホスト装置１０に送信される（ステップ３０２）。そこで、ホスト装置１０は、送られてきた製品番号に応じた金額情報と送金指示データを通信回線７を介して端末部２に送り返す。これら金額情報と送金指示データとはモデム装置４及び切替器３を介して外部情報処理装置８に送られる（ステップ３０３）。外部情報処理装置８では、これら金額情報と送金指示データとを処理して表示装置に表示し、使用者にその確認を求める（ステップ３０４）。
【００１８】
そこで、使用者が確認したことを示す操作を行なうと（ステップ３０５）、外部情報処理装置８はホスト装置１０から送られてきた金額情報と送金指示データとに基づいた電子マネー情報の移動を指示する制御信号Ｓ４を制御装置６に送出する（ステップ３０６）。制御装置６がこの制御信号Ｓ４を受理したことを確認すると（ステップ３０７）、電子マネー情報の移動処理終了を待つ。
【００１９】
即ち、制御装置６は、制御信号Ｓ４を受理すると、制御信号Ｓ１でモデム装置４を動作状態とし、制御信号Ｓ２で切替器３をデータ処理装置５側に切り替え、制御信号Ｓ３でデータ処理装置５を動作状態とし、これとともに、制御信号Ｓ４の受理に対する応答信号を外部情報処理装置８に、かかる準備動作が終了したことを示すデータをデータ処理装置５に送る。
【００２０】
データ処理装置５は、制御装置６からのデータを受けると、切替器３，モデム装置４及び通信回線７を介してホスト装置１０に準備が終了したことを示すデータを送る。これにより、ホスト装置１０は、ＩＣカード１から送金すべき金額を示すデータと制御信号とを通信回線７，モデム装置４及び切替器３を介してデータ処理装置５に送り、ここで処理されたこれらデータ及び制御信号がＩＣカード１に送られる。ＩＣカード１では、この制御信号によって制御され、このデータに応じた金額の電子マネー情報が読み出され、データ処理装置５で処理された後、切替器３，モデム装置４及び通信回線７を介してホスト装置１０に送られる。
【００２１】
これによって送金が終了すると、データ処理装置５から制御装置６に送金の終了信号が、制御装置６を介し、制御信号Ｓ４として外部情報装置８に送られる。これにより、制御装置６は、切替器３を外部情報処理装置８側に切り替える。
【００２２】
外部情報処理装置８では、この送金終了の制御信号Ｓ４を受けると（ステップ３０８）、送金終了を示すデータを切替器３，モデム装置４及び通信回線７を介してホスト装置１０に送り、これに応じてホスト装置１０は、通信回線７，モデム装置４及び切替器３を介して外部情報処理装置８に送る。これにより、この外部情報処理装置８では、ＩＣカード１からホスト装置６に送金された金額が表示される（ステップ３０９）。
【００２３】
かかる状態で、他に購入希望の製品がある場合には、外部情報処理装置８の入力装置でその製品番号を入力すると、この製品について、ステップ３０３〜３０９の一連の動作が繰り返される。そして、もはや希望する製品がなく、外部情報処理装置８の入力装置で終了の操作をすると（ステップ３１０）、外部情報処理装置８から終了を示す制御信号Ｓ４が制御装置６に供給され、これにより、制御装置６は制御信号Ｓ１を発生してモデム装置４を制御し、通信回線７を切断する（ステップ３１１）。このとき、後述するように、切替器３は制御装置６の制御によって外部情報処理装置８側に閉じており、これにより、上記の初期状態となる。
【００２４】
なお、ステップ３０２では、希望する製品が複数ある場合には、これらの製品番号を一度に入力することができる。この場合には、夫々の製品番号毎にステップ３０３〜３０８の一連の動作が繰り返され、全ての製品番号に対する送金が終了すると（ステップ３０８）、送金が終了したことと夫々の送金金額が表示される（ステップ３０９）。しかる後、使用者の終了操作とともに、通信回線７が切断される（ステップ３１１）。
【００２５】
以上のようにして、この実施形態では、製品購入のための電子マネー情報の移動に関する処理が行なわれることになる。
【００２６】
図４は図１における制御装置６の内部処理動作を示すフローチャートである。
【００２７】
同図において、まず、切替器３により、モデム装置４と外部情報処理装置８とが接続されている。外部情報処理装置８は、通信回線７を経由してホスト装置１０と交信して、電子マネー情報について、その金額やその移動方向（送金方向）などの基礎情報を予め決め、その後、制御装置６に金額とその送金方向の情報に加えて電子マネー情報の移動の開始を指示する制御信号Ｓ４を送る。
【００２８】
そこで、制御装置６は、この指示信号である制御信号Ｓ４を受け（ステップ４０１）、これが電子マネー情報の移動開始を指示したものであれば（ステップ４０２）、その金額と移動方向とを読み込む（ステップ４０３）。そして、これらを受理したことを示す情報を制御信号Ｓ４として外部情報処理装置８に返し、制御信号Ｓ２を発生して切替器３を制御し、これを切り替えてモデム装置４をデータ処理装置５に接続する（ステップ４０４）。
【００２９】
かかる切替器３の操作が完了した後、制御装置６はデータ処理装置５に電子マネー情報の移動を指示するデータを制御信号Ｓ３として送出する（ステップ４０５）。これにより、データ処理装置５は、切替器３，モデム装置４及び通信回線７を介し、ＩＣカード１とホスト装置１０との間で電子マネー情報の移動を開始させ、この移動する電子マネー情報の処理を行なう。かかる移動が完了すると、データ処理装置５は電子マネー情報の移動終了を示す制御信号Ｓ３を制御装置６に送る。
【００３０】
そこで、制御装置６は、この制御信号Ｓ３を受け取ると（ステップ４０６）、制御信号Ｓ２を発生して切替器３を外部情報処理装置８側に切り替え、外部情報処理装置８をモデム装置４を介して通信回線７に接続するとともに（ステップ４０７）、外部情報処理装置８に電子マネー情報の移動終了を示す制御信号Ｓ４を送り、次の指示を示す制御信号Ｓ４が外部情報処理装置８から送られてくるまで待機する（ステップ４０１）。
【００３１】
以上のように外部情報処理装置８や端末部２の制御装置６が動作することにより、この第１の実施形態では、ＩＣカード１の電子マネー情報を支払ってサービスを受けようとする使用者は、単に外部情報処理装置８を操作して確認の動作を行なうことのみで、電子マネー情報のやり取りを容易に行なうことができる。
【００３２】
図５は本発明による情報課金システムの第２の実施形態における個人端末を示すブロック図であって、１１はデータ判別装置、１２は入力装置、１３は表示装置であり、図１に対応する部分には同一符号を付けて重複する説明は省略する。なお、この第２の実施形態においても、全体的なシステム構成は図２に示すものと同様である。
【００３３】
同図において、この実施形態では、端末部２に入力装置１２と表示装置１３とが設けられて夫々制御装置６に接続され、また、外部情報処理装置８はデータ判別装置１１を介して切替器３と接続されている。従って、外部情報処理装置８には、図１に示した第１の実施形態とは異なり、入力装置や表示装置が設けられていない。以上の点以外は、図１に示した個人端末と同様である。
【００３４】
なお、データ判別装置１１は、外部情報処理装置８からのデータを解析し、切替器３，モデム装置４及び通信回線７を介してホスト装置１０に送る情報信号であるか、制御装置６に送る制御信号Ｓ４であるかを判別する。
【００３５】
次に、この第２の実施形態の動作について説明するが、ここでも、図１に示した個人端末と同様、通信販売において、製品の購入をする場合の処理について説明する。
【００３６】
図６は図５における外部情報処理装置８の内部処理動作を示すフローチャートであるが、その動作はほとんど図３に示した図１における外部情報処理装置８の内部処理動作と同じであるので、図２に対応するステップには同一符号を付けて重複する説明を省略する。
【００３７】
同図において、図３で説明したように、電子マネー情報の金額とその移動方向を取得すると（ステップ３０３）、外部情報処理装置８での確認動作を行なうことなく、制御装置６に移動を指示する（ステップ３０６）。即ち、この外部情報処理装置８での処理動作としては、図３でのステップ３０４，３０５が行なわれない。かかる処理は、表示装置１３が端末部２に設けられたことにより、後述するように、制御装置６で行なわれる。
【００３８】
なお、データ判別装置１１は、外部情報処理装置８が電子マネー情報の移動を制御装置６に指示する場合には、これを判別してこの指示を示す制御信号Ｓ４を制御装置６に送り、ホスト装置１０へのデータ及び制御信号である場合には、これをそのまま切替器３に供給する。
【００３９】
図７は図５における制御装置６の処理動作を示すフローチャートであって、図４に対応するステップには同一符号をつけている。
【００４０】
図５における制御装置６の動作は、ほとんどが図４に示した図１における制御装置６の動作と同様であるが、図５において、端末部２に入力装置１２と表示装置１３とが設けられ、これらを制御装置６が制御するようにした点で、図５における制御装置６の動作が図１における制御装置６の動作と異なっている。この動作の違いは、図７でステップ４０３とステップ４０４との間にステップ７０１，７０２を設けた点である。なお、これらステップ７０１，７０２は図３におけるステップ３０４，３０５と同様の処理を行なうものである。
【００４１】
図７において、図５における制御装置６は、図１における制御装置６と同様にして、外部情報処理装置８から電子マネー情報の移動開始指令とともに送られて来るこの電子マネー情報の金額と移動方向とを表わす情報を読み込むと（ステップ４０３）、この情報を表示装置１３に表示させ（ステップ７０１）、次いで、使用者がこれを確認して入力装置１２で所定の確認操作をすると（ステップ７０２）、この確認を示す情報を制御信号Ｓ４として外部情報処理装置８に返し、制御信号Ｓ２を発生して切替器３を制御し、これを切り替えてモデム装置４をデータ処理装置５に接続する（ステップ４０４）。これ以降の動作は、図４に示した図１での制御装置６の動作と同様である。
【００４２】
以上のように、この第２の実施形態では、外部情報処理装置８が電子マネー情報の金額やその送金方向といった基本的な情報の取得のみを行なう。実際の電子マネー情報の移動は、入力装置１２によって使用者がこれら情報の確認入力を行なった後となる。このため、電子マネー情報の移動処理は、その開始から終了までの全てが制御装置６によって行なわれることになる。このようにして、外部情報処理装置８は電子マネー情報の移動処理に何ら関与しないため、第１の実施形態に比べて、電子マネー情報の移動処理がより安全に行なわれることになる。
【００４３】
また、この第２の実施形態では、データ判別装置１１が設けられているため、モデム装置４に供給されるデータと制御信号は全て、モデム装置４の動作制御のための信号や外部（即ち、通信回線７）に送出するデータである。このため、モデム装置４は、第１の実施形態で行なわれていた外部情報処理装置８の制御装置６に対する制御信号Ｓ４の判別を行なう必要がなく、簡易なものとなる。
【００４４】
図８は本発明による情報課金システムの第３の実施形態における個人端末を示すブロック図であって、１４は電源回路、１５は充電回路、１６は蓄電池であり、図５に対応する部分には同一符号をつけて重複する説明を省略する。なお、この第３の実施形態でも、全体的なシステム構成は図２に示すものと同様である。
【００４５】
同図において、端末部２には、蓄電池１６とこの蓄電池１６に外部電源（図示せず）から充電する充電回路１５とからなる電源回路１４が設けられており、この蓄電池１６が常に充電されるようになっている。これ以外の構成は、図５に示した第２の実施形態と同様である。切替器３やモデム装置４，データ処理装置５，制御装置６などはこの電源回路１４から電源電圧が供給される。
【００４６】
次に、この第３の実施形態の動作について説明する。
【００４７】
外部情報制御装置５からの指示による切替器３の切替えの動作やモデム装置４と通信回線７とを介した電子マネー情報の移動の動作は第２の実施形態と同様であるが、この際、この第３の実施形態では、蓄電池１６の電力によって電子マネー情報の移動を行なう。
【００４８】
以上のように、この第３の実施形態では、先の第２の実施形態と同様の効果が得られるとともに、端末部の各装置に別途設けた電源回路１４から電源電圧が印加され、しかも、この電源回路１４の蓄電池１６には、常時外部電源から充電が行なわれているので、例えば、電子マネー情報の移動中に停電が発生しても、これが中断することがなく、電子マネー情報の移動のための処理を完遂させることができる。
【００４９】
なお、この第３の実施形態は、図１に示した第１の実施形態の端末部２に電源回路１４を設けた構成をなすものであるが、図５に示した第２の実施形態の端末部２に同様の電源回路１４を設けるようにすることもでき、同様の効果が得られる。
【００５０】
図９は本発明による情報課金システムの第４の実施形態における個人端末を示すブロック図であって、図８に対応する部分には同一符号をつけて重複する説明を省略する。なお、この第４の実施形態においても、全体的なシステム構成は図２に示すものと同様である。
【００５１】
同図において、この第４の実施形態では、充電回路１５が通信回線７に接続されており、端末部２がこの通信回線７に接続されている間、充電回路１５を介して蓄電池１６が充電される構成となっている。
【００５２】
かかる構成により、外部情報処理装置８からの指示によって行なわれる切替器３の切替えの動作や、モデム装置４と通信回線７とを介した電子マネー情報の移動の動作は図５に示した第２の実施形態と同様である。この際、電源回路１４の蓄電池１６での電力によって電子マネー情報の移動が行なわれることも図８に示した第３の実施形態と同様である。この第４の実施形態では、通信回線７が接続されることにより、蓄電池１６が充電される。
【００５３】
以上のように、この第４の実施形態では、上記の第３の実施形態と同様に得られる効果に加えて、蓄電池１６の充電を通信回線７からの回線電流で行なうことができるため、外部に電源回路を設ける必要がなくなる。
【００５４】
なお、この第４の実施形態は、図１に示した第１の実施形態の端末部２に電源回路１４を設けた構成をなすものであるが、図５に示した第２の実施形態の端末部２に同様の電源回路１４を設けるようにすることもでき、同様の効果が得られる。
【００５５】
図１０は本発明による情報課金システムの第５の実施形態における個人端末を示すブロック図であって、１７は電源切替器、１８は電池であり、図８に対応する部分には同一符号をつけて重複する説明を省略する。なお、この第５の実施形態においても、全体的なシステム構成は図２に示すものと同様である。
【００５６】
同図において、この第４の実施形態では、図８に示した第３の実施形態のように、端末部２に図示しない外部電源から電源電圧が供給されるとともに、電源回路１４をこの端末部２に備えたものであるが、この電源回路１４は電源切替器１７と電池１８とで構成されている。ここで、電源切替器１７は、この外部電源の電源電圧を常時監視しており、この電源電圧が規定値以下に低下すると、電源回路１４を端末部２の電源として機能させるものである。
【００５７】
かかる構成により、外部情報処理装置８からの指示による切替器３の切替え動作や、モデム装置４と通信回線７とを介した電子マネー情報の移動の動作は図５に示した第２の実施形態と同様である。この際、外部電源からの電力によって電子マネー情報の移動が行なわれるのであるが、停電などによって外部電源から電力が供給されないときには、電源切替器１７がこれを検知することにより、電源回路１４が電源として作動して、電池１８の出力電圧が端末部２の各装置に電源電圧として供給され、電子マネー情報の移動の動作が中断することがない。この場合、電子マネー情報の移動が少なくとも１回は可能となる。
【００５８】
以上のようにして、この第５の実施形態では、図５に示した第２の実施形態と同様の効果が得られるとともに、端末部２は、通常、外部電源から電源電圧が供給されて動作し、図８に示した第３の実施形態と同様の効果が得られ、さらに、例えば、停電などによって外部電源からの供給電源電圧が低下した場合には、電源切替器１７により、電池１８から電源電圧が供給されて電子マネー情報の移動が完遂されることになる。また、この第５の実施形態では、電池１８を用いたことにより、図８に示した第３の実施形態のような充電回路が不要となるという効果も得られる。
【００５９】
なお、この第５の実施形態は、図１に示した第１の実施形態の端末部２に電源回路１４を設けた構成をなすものであるが、図５に示した第２の実施形態の端末部２に同様の電源回路１４を設けるようにすることもでき、同様の効果が得られる。
【００６０】
図１１は本発明による情報課金システムの第６の実施形態における個人端末を示すブロック図であって、１９は受光装置、２０は発光装置であり、図１０に対応する部分には同一符号をつけて重複する説明を省略する。なお、この第６の実施形態においても、全体的なシステム構成は図２に示すものと同様である。
【００６１】
同図において、この第６の実施形態では、端末部２に受光装置１９が、また、外部情報処理装置８に発光装置２０が夫々設けられ、これら発光装置２０と受光装置１９との間で光信号の伝送が行なわれる。この発光装置２０は外部情報処理装置８の内部で制御され、外部情報処理装置８の制御によって希望する光指示信号Ｌを発生する。この光指示信号Ｌは受光装置１９で受光されて電子的なデータに変換され、制御信号Ｓ４として制御装置６に供給される。
【００６２】
図１２はこの光指示信号Ｌのデータ構成を示す図である。
同図において、この光指示信号Ｌは、電子マネー情報の取り引きを示してその移動を指示する情報Ｄ１やこの電子マネー情報の移動の方向を示す情報Ｄ２，この電子マネー情報の金額を示す情報Ｄ３などから構成されている。
【００６３】
次に、この第６の実施形態の動作について説明するが、ここでも、図１に示した個人端末と同様、通信販売において、製品の購入をする場合の処理について説明する。
【００６４】
図１３は図１１における外部情報処理装置８の処理動作を示すフローチャートであって、図６に対応するステップには同一符号をつけている。
【００６５】
同図において、通信回線７経由でホスト装置１０と交信し、製品に対応した必要な電子マネー情報の金額とその移動方向殿情報を取得する動作（ステップ３０３）までは、図６に示した図５での外部情報処理装置８の動作と同様である。
【００６６】
しかる後、外部情報処理装置８は、送り返された金額情報と送金指示データを、図１２に示したように、電子マネー情報の移動の方向を示す情報Ｄ２とこの電子マネー情報の金額を示す情報Ｄ３に変換し、これに電子マネー情報の取り引きを示す情報Ｄ１を付加して情報信号を作成し（ステップ１３０１）、これでもって発光装置２０を制御することにより、光指示信号Ｌに変換して送出する（ステップ１３０２）。これによって外部情報処理装置８は処理を終了するが、端末部２では、受光装置１９がこの光指示信号を受光し、電気信号に変換して、制御信号Ｓ４として、制御装置６に供給される。
【００６７】
図１４は図１１における制御装置６の内部処理動作を示すフローチャートであって、図７に対応するステップには同一符号をつけている。
【００６８】
同図において、先の各実施形態と同様に、まず、切替器３とモデム装置４とを介して外部情報処理装置８が通信回線７と接続されており、外部情報処理装置８は、通信回線７を経由してホスト装置１０と交信し、電子マネー情報の移動について金額や移動方向などの基礎情報を予め決める。
【００６９】
その後、外部情報処理装置８が光指示信号Ｌを用いて電子マネー情報の移動の開始を指示する。受光装置１９は光入力を監視しており、この光指示信号Ｌを受光すると（ステップ１４０１）、これを電気信号に変えて、制御信号Ｓ４として、制御装置６に供給する（ステップ１４０２）。このとき、この電子マネー情報の金額とその移動方向との情報（図１２での情報Ｄ３，Ｄ２）に加えて、この電子マネー情報の移動開始を指示する情報（図１２での情報Ｄ１）も伝達される。
【００７０】
制御装置６は、この電子マネー情報の移動開始を指示する情報Ｄ１を取り込むと（ステップ４０２）、これとともに送られてきた電子マネー情報の金額を表わす情報Ｄ３とその移動方向を示す情報Ｄ２とを読み込み（ステップ４０３）、表示装置２０に表示させて使用者がこれらを確認できるようにする（ステップ７０１）。そこで、使用者が入力装置１３を用いて確認したことを示すと（ステップ７０２）、制御装置６は、制御信号Ｓ２で切替器３を制御してモデム装置４をデータ処理装置５に接続し（ステップ４０４）、データ処理装置５に電子マネー情報の移動を指示する制御信号Ｓ３を送出する（ステップ４０５）。これにより、データ処理装置５は、先の実施形態と同様にして、ＩＣカード１から読み出される電子マネー情報を処理し、切替器３，モデム装置４及び通信回線７を介してホスト装置１０に電子マネー情報の移動を開始する。
【００７１】
電子マネー情報の移動が終了すると、データ処理装置５は、電子マネー情報の移動終了を示す制御信号Ｓ３を制御装置６に送り、制御装置６は、この制御信号Ｓ３を受け取ると（ステップ４０６）、制御信号Ｓ１を発生することにより、モデム装置４を制御にして通信回線７を切断し（ステップ１４０３）、制御信号Ｓ２を発生して切替器３を制御し、モデム操作４を外部情報処理装置８側に切り替る（ステップ４０７）。そして、制御装置６は、移動した電子マネー情報の金額とその移動方向とともに、その移動が完了したことを表示装置１３に表示させる（ステップ１４０４）。
【００７２】
以上のようにして、この第６の実施形態の端末部２では、移動する電子マネー情報の金額や移動方向を示す情報を外部情報処理装置８から非接触で受け取ることができる。このため、先の各実施形態で必要であった制御装置６と外部情報処理装置８との間の制御信号Ｓ４のための信号線路が不要となる。
【００７３】
また、この第６の実施形態では、外部情報処理装置８が電子マネー情報の金額やその送金方向といった基本的な情報の取得のみを行ない、実際の電子マネー情報の移動は、入力装置１２により、使用者が確認入力を行なった後となる。このため、電子マネー情報の移動処理は、その開始から終了までの全てを制御装置６が行なうこととなり、先の第１の実施形態に比べて、電子マネー情報の移動処理をより安全に行なうことができる。
【００７４】
なお、この第６の実施形態では、電源回路１４として、図１０に示した第５の実施形態と同様のものを用いたが、図８または図９に示す構成の電源回路１４を用いるようにしてもよく、同様の効果が得られる。
【００７５】
図１５は本発明による情報課金システムの第７の実施形態における個人端末を示すブロック図であって、２ａ，２ｂは端末部、２１はモデム情報処理装置、２２，２３は受発光装置であり、前出図面に対応する部分には同一符号をつけて重複する説明を省略する。なお、この第７の実施形態においても、全体的なシステム構成は図２に示すものと同様である。
【００７６】
同図において、この第７の実施形態では、端末部が端末部２ａ，２ｂに２分割されており、夫々が別々の筐体に収納されている。端末部２ａは切替器３，モデム装置４，モデム情報処理装置２１及び受発光装置２２からなり、また、端末部２ｂはデータ処理装置５，制御装置６，入力装置１２，表示装置１３，電源回路１４及び受発光装置２３からなっている。これら端末部２ａ，２ｂ間では、受発光装置２２，２３により、光情報信号Ｌ１が伝送される。また、外部情報処理装置８の発光装置２０からの光指示信号Ｌは端末部２ｂの受発光装置２３で受光され、制御信号Ｓ４として制御装置６に供給される。端末部２ｂには、電池１８からなる電源回路１４が内蔵されており、この電池１８の電圧が、電源電圧として、データ処理装置５や制御装置６に印加されている。
【００７７】
切替器３はモデム情報処理装置２１からの制御信号Ｓ２によって制御され、外部情報処理装置８側とモデム情報処理装置２１側とのいずれかに選択的に切り替えられる。切替器３がモデム情報処理装置２１側に閉じているときには、通信回線７とモデム装置４と切替器３を介して供給される情報信号がモデム情報処理装置２１で処理されて受発光装置２２に供給され、光情報信号Ｌ１に変換されて端末部２ｂの受発光装置２３に送られる。
【００７８】
また、端末部２ｂの受発光装置２３からの光情報信号Ｌ１は端末部２ａの受発光装置２２で受光され、電気信号としての情報信号ＤＳ１に変換される。この情報信号ＤＳ１はモデム情報処理装置２１に供給されてその内容が判別される。その内容としては、モデム装置４や切替器３の制御信号Ｓ１，Ｓ２である場合と、ホスト装置１０に送る電子マネー情報に関する情報信号である場合とがある。モデム情報処理装置２１は、受発光装置２２からの情報信号ＤＳ１がモデム装置４や切替器３の制御信号Ｓ１，Ｓ２であるときには、モデム装置４や切替器３を制御し、電子マネー情報に関する情報信号であるときには、この情報信号ＤＳ１を切替器３，モデム装置４及び通信回線７を介してホスト装置１０に送る。
【００７９】
受発光装置２３は、外部情報処理装置８の発光装置２０からの図１２で示した構成の光指示信号Ｌの受光手段も備えており、この受光手段で光指示信号Ｌを受光して得られる電気信号は、先の実施形態と同様、制御信号Ｓ４として制御装置６に供給される。
【００８０】
図１６は図１５における光情報信号Ｌ１として伝送される情報信号ＤＳ１の内容を示す図である。
【００８１】
図１６（ａ）は電子マネー情報の伝達の際の情報信号ＤＳ１を示している。この情報信号ＤＳ１は、この情報信号ＤＳ１の送り方向を示す信号Ｄ１１と電子マネー情報であることを示す情報Ｄ１２と電子マネー情報Ｄ１３とによって構成されている。
【００８２】
図１６（ｂ）は切替器３やモデム装置４の制御を行なう際の情報信号ＤＳ１（即ち、制御信号Ｓ２，Ｓ１）を示している。この情報信号ＤＳ１は、切替器３やモデム装置４を制御するものであることを示す情報Ｄ２１と切替器３やモデム装置４を制御するコマンド信号Ｄ２２とから構成されている。
【００８３】
図１６（ｃ）はモデム装置４と切替器３との状態を知らせる情報信号ＤＳ１を示している。この情報信号ＤＳ１には、モデム装置４と切替器３との状態を表わすものであることを示す情報Ｄ３１とモデム装置４または切替器３の状態を示すステータス信号Ｄ３２とから構成されている。
【００８４】
図１７はＩＣカード１に入出力される電子マネー情報を表わす情報信号ＤＳ２を示す図である。
【００８５】
ＩＣカード１に入出力される電子マネー情報の情報信号ＤＳ２は、ＩＣカード１に暗号化処理されて記憶されており、通常の手段では、ＩＣカード１の記憶内容を改ざんできないようになっている。この暗号化された電子マネー情報を移動させることにより、ＩＣカード１内に貯えれている電子マネー情報を実質的に移動する構成となっている。図１６（ａ）に示した情報信号ＤＳ１での電子マネー情報Ｄ１３は、ＩＣカード１から読み出された電子マネー情報の情報信号ＤＳ２をそのまま用いたものである。
【００８６】
次に、この第７の実施形態の動作について説明する。
【００８７】
図１８は図１５における外部情報処理装置８の処理動作を示すフローチャートであって、図１３に対応するステップには同一符号をつけている。
【００８８】
この第７の実施形態においても、通信販売で製品の購入をするものとして説明すると、この場合の外部情報処理装置８の処理動作は、図１１における外部情報処理装置８の図１３に示した処理動作と同様である。また、この場合の発光装置２０から端末部２ｂの受発光装置２３に送られる光情報信号Ｌは、上記のように、図１２に示した構成をなすものである。
【００８９】
端末部２の制御装置６は、この受発光装置２３の出力を常時監視しており、光指示信号Ｌを受光したときには、制御装置６は、先の各実施形態のように、この受光に伴なう上記の制御信号Ｓ４を取り込んで、各種制御処理を行なう。
【００９０】
図１９及び図２０は図１５における制御装置６の処理動作を示すフローチャートであって、図１４に対応するステップには同一符号をつけて重複する説明を省略する。
【００９１】
図１９において、ステップ７０２までの処理動作は、図１１における制御装置６の図１４で示す動作と同様である。即ち、受発光装置２３は、外部情報処理装置８からの光指示信号Ｌを受光すると、これを電気的な図１２に示す構成の情報信号に変換して制御装置６に供給する。制御装置６は、この情報信号から電子マネー情報の移動指示を示す情報Ｄ１を検出すると、電子マネー情報の金額を示す情報Ｄ３と移動の方向を示す情報Ｄ２とを読み込み、これらを表示装置１３で表示させて使用者に確認を求める。以上がステップ７０１までの処理動作である。
【００９２】
使用者が入力装置１２で確認の操作をすると（ステップ７０２）、制御装置６は、図１６（ｂ）に示す形式の情報信号ＤＳ１をデータ処理装置５を介して受発光装置２３に送り、この受発光装置２３はこの情報信号ＤＳ１の光情報信号Ｌ１を発光する。この光情報信号Ｌは端末部２ａの受発光装置２２で受光される。受発光装置２２はこの光情報信号Ｌ１を電気信号である情報信号ＤＳ１に変換し、モデム情報処理装置２１に供給する。このモデム情報処理装置２１はこの情報信号ＤＳ１を分析するが、これが図１６（ｂ）に示す形式のものであることから、制御信号Ｓ１，Ｓ２を発生し、モデム装置４を制御して通信回線７が接続された状態に継続させるとともに、切替器３を制御してモデム情報処理装置２１側に切り替える。これにより、モデム装置４とデータ処理装置５とが接続されることになる（ステップ１９０１）。
【００９３】
切替器３のかかる切り替わり動作が完了すると、モデム情報処理装置４３は、図１６（ｃ）に示す形式のモデム装置４と切替器３の状態とを示す情報信号ＤＳ１を発生し、上記とは逆に、受発光装置２２，２３及びデータ処理装置５を介して制御装置６に送る。これにより、制御装置６は、切替器３の切替えが完了したという報告を受けることになり（ステップ１９０２）、データ処理装置５に電子マネー情報の移動を指示する制御信号Ｓ３を送出する（ステップ１９０３）。
【００９４】
そこで、データ処理装置５は、この制御信号Ｓ３を受けると、制御装置６の制御のもとに、ＩＣカード１から図１７に示す形式の電子マネー情報ＤＳ２を読み出し、これに電子マネー情報であることを示す情報Ｄ１２とこの電子マネー情報の移動方向を示す信号Ｄ１１を付加して図１６（ａ）に示す形式の情報信号ＤＳ１を形成し、受発光装置２３，２２を介して端末部２ａのモデム情報処理装置２１に送る。ここで、この情報信号ＤＳ１での信号Ｄ１１は、制御装置６からみて、送信するものであるか、受信するものであるかを示すものである。そこで、モデム情報処理装置２１は、この信号Ｄ１１と情報Ｄ１２とから、この情報信号ＤＳ１はホスト装置１０（図２）に送信する電子マネー情報であると判定し、この情報信号ＤＳ１を切替器３，モデム装置４及び通信回線７を介してホスト装置１０に送る。
【００９５】
このようにして、ＩＣカード１から読み出された電子マネー情報ＤＳ２はホスト装置１０に送られるが、その間制御装置６は待機状態にある（ステップ１９０４，１９０７）。
【００９６】
また、ホスト装置１０から同様の図１６（ａ）に示す形式の電子マネー情報の情報信号ＤＳ１が送られてきたときには、モデム情報処理装置２１がこれを上記と同様な方法で判定し、受発光装置２２，２３を介して端末部２ｂのデータ処理装置５に送る。そこで、制御装置６は、データ処理装置５でこの情報信号ＤＳ１から分離された信号Ｄ１１及び情報Ｄ１２により、受信された電子マネー情報の情報信号ＤＳ１であると判定し、この情報信号ＤＳ１での電子マネー情報Ｄ１３をデータ処理装置５に受信させ（ステップ１９０５）、図１７に示す形式の電子マネー情報ＤＳ２としてＩＣカード１に書き込ませる（ステップ１９０６）。
【００９７】
以上のようにして、図１６(ａ)に示す形式の電子マネー情報の情報信号ＤＳ１の送信もしくは受信が終了すると、データ処理装置５は電子マネー情報の移動処理の終了信号を制御装置６に送る(ステップ１９０７)。そこで、制御装置６は、通信回線７を切断するための図１６(ｂ)に示す形式の情報信号ＤＳ１を、上記のようにして、端末部２ａのモデム情報処理装置２１に送る(ステップ１９０８)。このモデム情報処理装置２１は、この情報信号ＤＳ１に基づいて制御信号Ｓ１を発生し、モデム装置４を制御にして通信回線７を遮断するとともに、モデム装置４と切替器３との状態を表わす図１６(ｃ)に示す形式の情報信号ＤＳ１を、上記のようにして、端末部２ｂの制御装置６に送る。これにより、制御装置６は通信回線７が切断されたことを検知し（ステップ１９０９）、電子マネー情報の移動が完了したことを表示装置１３に表示させる（ステップ１９１０）。
【００９８】
しかる後、制御装置６は、切替器３を切り替えるための図１６（ｂ）に示す形式の情報信号ＤＳ１を、上記のようにして、端末部２ａのモデム情報処理装置２１に送る（ステップ１９１１）。これにより、モデム情報処理装置２１は、制御信号Ｓ２を発生して切替器３を制御し、外部情報処理装置８側に切り替えてこの外部情報処理装置８をモデム装置４に接続させるとともに、切替器３とモデム装置４の状態を示す図１６（ｃ）に示す形式の情報信号ＤＳ１を作成し、端末部２ｂの制御装置６に送る。制御装置６は、この情報信号ＤＳ１を受けて切替器３の切り替え動作が完了したことを検知すると（ステップ１９１２）、図１９にステップ１４０１に戻って次の光指示信号Ｌを受信するまで待機する。
【００９９】
以上のようにして、この第７の実施形態では、端末部２が、移動する電子マネー情報の金額やその移動方向を情報や電子マネー情報の受け渡しを非接触で行なうことができる。このため、端末部２を独立した筐体とすることできて、独立して持ち運び可能となる。
【０１００】
また、この第７の実施形態では、外部情報処理装置８で金額や送金方向といった基本的な情報の取得のみを行ない、実際の電子マネー情報の移動は、入力装置１２により、使用者が確認入力を行なった後となる。このため、電子マネー情報の移動処理は、その開始から終了までの全てを制御装置６が行なうこととなり、先の第１の実施形態に比べて、電子マネー情報の移動処理をより安全に行なうことができるようになる。
【０１０１】
なお、この第７の実施形態では、モデム装置４と外部情報処理装置８を別体に設けたが、モデム装置４の信頼性を確保した上で、外部情報処理装置８とモデム装置４を一体に設けるようにしても何ら問題はない。また、この際、光指示信号の送出のための発光装置２０と受発光装置２２を１つの部材としても、何ら問題はない。
【０１０２】
また、この第７の実施形態では、電源回路１４として、図８または図１０に示す構成の電源回路１４を用いるようにしてもよく、同様の効果が得られる。
【０１０３】
【発明の効果】
以上説明したように、本発明によると、利用者が所持する端末に公衆回線を経由したデータ通信手段を設け、このデータ通信手段を介して電子マネー情報の移動を行なうことが可能となることにより、サービスを供給する専用の装置を使用することなく、ＩＣカードを用いてそのサービスを受けることができる。
【０１０４】
また、本発明によると、電子マネー情報の移動に必要な装置は、直接電子マネー情報の移動に関与しない他の情報処理装置などの周辺装置とは独立して動作可能とすることにより、これらの周辺装置に何らかの機器故障が発生しても、開始された電子マネー情報の移動処理を完遂することができる。このため、端末本体の信頼性を確保することができ、電子マネー情報の移動処理を個人所有の端末で行なうことが可能となる。
【図面の簡単な説明】
【図１】本発明による情報課金システムの第１の実施形態における個人端末を示すブロック図である。
【図２】本発明による情報課金システムの構成を示す図である。
【図３】図１における外部情報処理装置の処理動作を示すフローチャートである。
【図４】図１における制御装置の処理動作を示すフローチャートである。
【図５】本発明による情報課金システムの第２の実施形態における個人端末を示すブロック図である。
【図６】図５における外部情報処理装置の処理動作を示すフローチャートである。
【図７】図５における制御装置の処理動作を示すフローチャートである。
【図８】本発明による情報課金システムの第３の実施形態における個人端末を示すブロック図である。
【図９】本発明による情報課金システムの第４の実施形態における個人端末を示すブロック図である。
【図１０】本発明による情報課金システムの第５の実施形態における個人端末を示すブロック図である。
【図１１】本発明による情報課金システムの第６の実施形態における個人端末を示すブロック図である。
【図１２】図１１における光指示信号の構成を示す図である。
【図１３】図１１における外部情報処理装置の処理動作を示すフローチャートである。
【図１４】図１１における制御装置の処理動作を示すフローチャートである。
【図１５】本発明による情報課金システムの第７の実施形態における個人端末を示すブロック図である。
【図１６】図１１における各種の光情報信号の構成を示す図である。
【図１７】図１１における電子マネー情報の構成を示す図である。
【図１８】図１５における外部情報処理装置の処理動作を示すフローチャートである。
【図１９】図１１における制御装置の処理動作の前半部分を示すフローチャートである。
【図２０】図１１における制御装置の処理動作の後半部分を示すフローチャートである。
【符号の説明】
１  ＩＣカード
２，２ａ，２ｂ  端末部
３  切替器
４  モデム装置
５  データ処理装置
６  制御装置
７  通信回線
８  外部情報処理装置
９  個人端末
１０  ホスト装置
１１  データ判別装置
１２  入力装置
１３  表示装置
１４  電源回路
１５  充電回路
１６  蓄電池
１７  電源切替器
１８  電池
１９  受光装置
２０  発光装置
２１  モデム情報処理装置
２２，２３  受発光装置
【図１】
0003916311.tif 000002
【図２】
0003916311.tif 000003
【図３】
0003916311.tif 000004
【図４】
0003916311.tif 000005
【図５】
0003916311.tif 000006
【図６】
0003916311.tif 000007
【図７】
0003916311.tif 000008
【図８】
0003916311.tif 000009
【図９】
0003916311.tif 000010
【図１０】
0003916311.tif 000011
【図１１】
0003916311.tif 000012
【図１２】
0003916311.tif 000013
【図１３】
0003916311.tif 000014
【図１４】
0003916311.tif 000015
【図１５】
0003916311.tif 000016
【図１６】
0003916311.tif 000017
【図１７】
0003916311.tif 000018
【図１８】
0003916311.tif 000019
【図１９】
0003916311.tif 000020
【図２０】
0003916311.tif 000021